(57)【要約】【課題】  表示光を出射する出射口を覆う透光性カバーの組み付け性が良いヘッドアップディスプレイ装置を提供する。【解決手段】  本開示のヘッドアップディスプレイ装置Ｈは、表示光Ｌを発する表示部１と、表示光Ｌを出射する出射口４１、出射口４１を覆う透光性カバー５０、を有する上ケース４と、を備える。透光性カバー５０は、一辺５１に位置決め凸部５２を有し、上ケース４は、一辺５１を受ける溝部４２、位置決め凸部５２を受ける被位置決め部４３を有する。透光性カバー５０は、一辺５１が上ケース４の溝部４２に突き当てられ、位置決め凸部５２が被位置決め部４３に位置決めされた状態で、上ケース４に接着固定される。【選択図】  図２
2019106691.tif 000002
【特許請求の範囲】
【請求項１】
表示光を発する表示部と、
前記光を出射する出射口、前記出射口を覆う透光性カバー、を有する上ケースと、を備えたヘッドアップディスプレイ装置であって、
前記透光性カバーは、一辺に位置決め凸部を有し、
前記上ケースは、前記一辺を受ける溝部、前記位置決め凸部を受ける被位置決め部を有し、
前記透光性カバーは、前記一辺が前記上ケースの溝部に突き当てられ、前記位置決め凸部が前記被位置決め部に位置決めされた状態で、前記上ケースに接着固定される、
ヘッドアップディスプレイ装置。
【請求項２】
前記被位置決め部は、排水路を兼ねる、
請求項１のヘッドアップディスプレイ装置。
【発明の詳細な説明】
【技術分野】
【０００１】
本開示は、ヘッドアップディスプレイ装置の表示光を出射する出射口を有する上ケースの構造に関する。
【背景技術】
【０００２】
特許文献１で開示されたヘッドアップディスプレイ装置がある。このヘッドアップディスプレイ装置は、上ケースに設けられた出射口を透光性カバーで覆っている。この透光性カバーは全周を囲むように両面テープで出射口の外縁に接着固定されている。
【先行技術文献】
【特許文献】
【０００３】
【特許文献１】特開２０１０−１０５５５５
【発明の概要】
【発明が解決しようとする課題】
【０００４】
しかしながら、透光性カバーを出射口の外縁に組付ける際に、透光性カバーが両面テープの誤った位置に接触してしまうと透光性カバー全体が傾いて組み付けられてしまう場合があり、組み付け性の観点で改善の余地があった。
【０００５】
本開示は、上述した課題に鑑みて、表示光を出射する出射口を覆う透光性カバーの組み付け性が良いヘッドアップディスプレイ装置を提供する。
【課題を解決するための手段】
【０００６】
本開示のヘッドアップディスプレイ装置は、
表示光を発する表示部と、
前記光を出射する出射口、前記出射口を覆う透光性カバー、を有する上ケースと、を備えたヘッドアップディスプレイ装置であって、
前記透光性カバーは、一辺に位置決め凸部を有し、
前記上ケースは、前記一辺を受ける溝部、前記位置決め凸部を受ける被位置決め部を有し、
前記透光性カバーは、前記一辺が前記上ケースの溝部に突き当てられ、前記位置決め凸部が前記被位置決め部に位置決めされた状態で、前記上ケースに接着固定される。
【発明の効果】
【０００７】
本開示によれば、表示光を出射する出射口を覆う透光性カバーの組み付け性が良いヘッドアップディスプレイ装置を提供できる。
【図面の簡単な説明】
【０００８】
【図１】ヘッドアップディスプレイ装置の構成概略図。
【図２】ヘッドアップディスプレイ装置の上ケースの構成を示す図。
【図３】ヘッドアップディスプレイ装置の上ケースの上面図および要部断面図。（Ａ）は上面図を示し、（Ｂ）は上面図におけるＡ−Ａ断面図を示し、（Ｃ）は上面図におけるＢ−Ｂ断面図を示す。
【図４】ヘッドアップディスプレイ装置の上ケースが被水した場合における水の流れを示す図。
【発明を実施するための形態】
【０００９】
本開示の一実施形態であるヘッドアップディスプレイ装置Ｈを添付図面を参照して説明する。なお、添付図面における矢印Ｕｗは車両の上方を示し、矢印Ｄｗは車両の下方を示し、矢印Ｆｗは車両の前方を示し、矢印Ｂｗは車両の後方を示し、矢印Ｒｗは車両の右方を示し、矢印Ｌｗは車両の左方を示すものとする。
【００１０】
図１を参照する。ヘッドアップディスプレイ装置Ｈは、表示光Ｌを出射する表示部１、表示光Ｌを反射する反射部２、表示部１と反射部２を収容する下ケース３、反射部２が反射した表示光Ｌを出射する出射口４１とこの出射口４１を覆う透光性カバー５０を有する上ケース４、を有する。
【００１１】
ヘッドアップディスプレイ装置Ｈは、車両に搭載され、車両の風防ガラスＷＳに向けて表示光Ｌを投射する。風防ガラスＷＳに投射された表示光Ｌは、風防ガラスＷＳを反射して視認者Ｅに到達し、表示光Ｌの虚像Ｖが風防ガラスＷＳの前方に浮かぶように視認者Ｅから見える。
【００１２】
表示部１は、例えば、液晶表示器である。表示部１は、マイクロコントローラ等の制御部に制御されて、車両の走行速度やエンジン回転数などの車両情報を表す画像を表示し、表示された画像を表す表示光Ｌを出射する。
【００１３】
反射部２は、例えば、凹面鏡である。反射部２は、表示部１が出射した表示光Ｌを拡大して出射口４１に向けて反射する。
【００１４】
下ケース３は、ポリカーボネート（ＰＣ）やポリプロピレン（ＰＰ）などの不透過な合成樹脂製の容器であり、表示部１や反射部２を収容する。
【００１５】
上ケース４は、ＰＣやＰＰなどの不透過な合成樹脂製の蓋であり、下ケース３の上方を覆う。
【００１６】
図２を参照する。上ケース４は、基部４０、透光性カバー５０、接着材６０、を有する。
【００１７】
図２及び図３を参照する。基部４０は、ＰＣやＰＰなどの不透過な合成樹脂製の枠体であり、出射口４１が設けられている。出射口４１の車両前方側（Ｆｗ側）端部には、車両の左右方向（Ｒｗ−Ｌｗ方向）に延び車両前方側に窪む溝部４２が形成されている。この溝部４２には開口部（被位置決め部）４３が形成されている。
【００１８】
透光性カバー５０は、ポリメタクリル酸メチル樹脂（ＰＭＭＡ）などの透明な合成樹脂で薄い板状に成形された蓋体であり、出射口４１を上方（Ｕｗ方向）から覆う。透光性カバー５０の一辺５１には被位置決め部に位置決めされる凸部（位置決め凸部）５２が形成されている。
【００１９】
接着材６０は、両面に接着面が形成された両面テープである。
【００２０】
基部４０に透光性カバー５０を組付ける手順について説明する。まず初めに、基部４０の左右の辺（Ｒｗ方向の辺とＬｗ方向の辺）４４に接着剤６０を配置する。次に、基部４０の開口部４３に凸部５２が収まるように、透光性カバー５０を一辺５１が突き当て部４２ａに突き当たるまで溝部４２に挿入する。最後に、透光性カバー５０の一辺５１が突き当て部４２ａに突き当たった状態で透光性カバー５０を基部４０の左右の辺４４に配置された接着剤６０上に配置し、基部４０に透光性カバー５０を接着固定する。
このように組み付けることで、透光性カバー５０は基部４０に対し前後左右に位置決めされた状態で、基部４０に透光性カバー５０を接着作業ができるため、組み付け性が良好である。
【００２１】
図４を参照する。上ケース４の溝部４２及び開口部４３は、出射口４１を囲む４辺の最も低い１辺（Ｆｗ側の辺）としている。これにより、上ケース４が被水した場合において、水の流れＷＦに示すように、上ケース４の開口部４３が排水路として機能する。つまり、開口部４３は位置決めの機能と排水路としての機能を兼ねる構造となる。
【００２２】
以上のように、本開示のヘッドアップディスプレイ装置Ｈは、表示光Ｌを発する表示部１と、表示光Ｌを出射する出射口４１、出射口４１を覆う透光性カバー５０、を有する上ケース４と、を備える。透光性カバー５０は、一辺５１に位置決め凸部５２を有し、上ケース４は、一辺５１を受ける溝部４２、位置決め凸部５２を受ける被位置決め部４３を有する。透光性カバー５０は、一辺５１が上ケース４の溝部４２に突き当てられ、位置決め凸部５２が被位置決め部４３に位置決めされた状態で、上ケース４に接着固定される。
このように構成することで、表示光を出射する出射口を覆う透光性カバーの組み付け性が良好となる。
【００２３】
また、本開示のヘッドアップディスプレイ装置Ｈの被位置決め部４３は、排水路を兼ねる。
このように構成することで、被水しても透光性カバー５０上に水が溜まらない。
【００２４】
なお、本開示のヘッドアップディスプレイ装置は、以下の変更をしてもよい。
【００２５】
ケース４の溝部４２及び開口部４３は、出射口４１を囲む４辺の最も低い１辺（Ｆｗ側の辺）とし、この１辺を挟む左右の辺４４に接着材６０を配置したが、これに限定されない。接着剤６０は、溝部４２及び開口部４３が設けられた辺を挟む２つの辺であればよい。
【００２６】
透光性カバー５０の凸部５２と基部４０の開口部４３の凹凸の係合関係を逆として位置決めしてもよい。
【符号の説明】
【００２７】
Ｈ…ヘッドアップディスプレイ装置
１…表示部
４…上ケース
４１…出射口
４２…溝部
４３…開口部（被位置決め部）
５０…透光性カバー
５１…辺
５２…凸部（位置決め凸部）
【図１】
2019106691.tif 000003
【図２】
2019106691.tif 000004
【図３】
2019106691.tif 000005
【図４】
2019106691.tif 000006